(57)【要約】      （修正有）【課題】正当性が既に判断されている著作物について、著作物の正当性の判断を簡易な手順で確認できる情報処理装置及びプログラムを提供する。【解決手段】情報処理装置は、著作物の正当性を判断する判断手段に著作物を送信する送信手段と、判断手段の判断結果が付された当該著作物を判断手段から受信する受信手段とを有する。送信手段は、判断結果が付された著作物を判断手段に送信した場合、判断結果が付される前とは異なる判断プロセスによって判断手段によって正当性が判断され、受信手段は、異なる判断プロセスによる判断結果が付された著作物を受信する。【選択図】図２
2020197918.tif 000002
【特許請求の範囲】
【請求項１】
著作物の正当性を判断する判断手段に前記著作物を送信する送信手段と、
前記判断手段の判断結果が付された前記著作物を前記判断手段から受信する受信手段と、
を有する情報処理装置。
【請求項２】
前記送信手段が、前記判断結果が付された前記著作物を前記判断手段に送信した場合、前記判断結果が付される前とは異なる判断プロセスによって前記判断手段によって正当性が判断され、前記受信手段は、前記異なる判断プロセスによる判断結果が付された前記著作物を受信する、
ことを特徴とする請求項１に記載の情報処理装置。
【請求項３】
前記異なる判断プロセスは、前記判断結果が付される前の前記著作物を前記判断手段に送信したユーザと、前記判断結果が付された前記著作物を前記判断手段に送信したユーザとが同じ場合、前記著作物は正当であると判断することである、
ことを特徴とする請求項２に記載の情報処理装置。
【請求項４】
前記異なる判断プロセスは、前記判断結果が付される前の前記著作物を前記判断手段に送信したユーザと、前記判断結果が付された前記著作物を前記判断手段に送信したユーザとが異なる場合、警告を通知すると判断することである、
ことを特徴とする請求項２に記載の情報処理装置。
【請求項５】
前記受信手段が、前記判断結果が付された前記著作物を受信した場合、前記判断結果が付される前の前記著作物を削除する、又は、前記判断結果が付される前の前記著作物に、前記判断結果が付された前記著作物を上書きする処理手段を更に有する、
ことを特徴とする請求項１から請求項４のいずれか一項に記載の情報処理装置。
【請求項６】
前記削除又は前記上書きの結果を前記判断手段に通知する通知手段を更に有する、
ことを特徴とする請求項５に記載の情報処理装置。
【請求項７】
前記受信手段が、前記判断結果が付された前記著作物を受信した場合、前記判断結果に応じて前記著作物に対して実行が許可される処理を示す情報を表示手段に表示させる制御手段を更に有する、
ことを特徴とする請求項１から請求項６のいずれか一項に記載の情報処理装置。
【請求項８】
前記判断結果に応じて、前記著作物に対する処理の実行を許可する許可手段を更に有する、
ことを特徴とする請求項１から請求項７のいずれか一項に記載の情報処理装置。
【請求項９】
前記許可手段は、前記判断手段による判断が行われる前は、前記著作物に対する処理の実行を制限する、
ことを特徴とする請求項８に記載の情報処理装置。
【請求項１０】
前記許可手段は、外部への前記著作物の送信、及び、前記著作物の複製の中の少なくとも１つの実行を制限する、
ことを特徴とする請求項９に記載の情報処理装置。
【請求項１１】
前記許可手段は、処理の実行が制限されていても、前記著作物の削除を許可する、
ことを特徴とする請求項９又は請求項１０に記載の情報処理装置。
【請求項１２】
前記判断手段による判断は、著作物を管理する団体にて実行される、
ことを特徴とする請求項１から請求項１１のいずれか一項に記載の情報処理装置。
【請求項１３】
前記団体は、著作物の最初の送信先である、
ことを特徴とする請求項１２に記載の情報処理装置。
【請求項１４】
前記著作物の複数の送信先が指定された場合であっても、前記送信手段は、前記著作物を最初に前記判断手段に送信する、
ことを特徴とする請求項１３に記載の情報処理装置。
【請求項１５】
前記最初の送信先は、管理者以外のユーザによって変更が不可能である、
ことを特徴とする請求項１３又は請求項１４に記載の情報処理装置。
【請求項１６】
前記送信手段は、前記著作物に対する処理の実行前に、前記著作物を前記判断手段に送信する、
ことを特徴とする請求項１から請求項１５のいずれか一項に記載の情報処理装置。
【請求項１７】
前記著作物の正当性が過去に判断された場合であっても、前記著作物に処理が実行される場合、前記送信手段は、前記著作物を前記判断手段に再度送信する、
ことを特徴とする請求項１６に記載の情報処理装置。
【請求項１８】
正当性判断の対象である著作物を受信する受信手段と、
正当性判断に用いられる情報と前記著作物とを比較することで前記著作物の正当性を判断する判断手段と、
前記判断手段の判断結果が付された前記著作物を、ユーザが利用する端末装置に送信する送信手段と、
を有する情報処理装置。
【請求項１９】
前記受信手段が、前記判断結果が付された前記著作物を受信した場合、前記判断手段は、前記著作物を当該判断手段に送信したユーザの情報のみに基づいて、前記著作物の正当性を判断する、
ことを特徴とする請求項１８に記載の情報処理装置。
【請求項２０】
前記受信手段が受信した前記著作物は、次の正当性判断に用いられる情報に含まれる、
ことを特徴とする請求項１８又は請求項１９に記載の情報処理装置。
【請求項２１】
コンピュータを、
著作物の正当性を判断する判断手段に前記著作物を送信する送信手段、
前記判断手段の判断結果が付された前記著作物を前記判断手段から受信する受信手段、
として機能させるプログラム。
【請求項２２】
コンピュータを、
正当性判断の対象である著作物を受信する受信手段、
正当性判断に用いられる情報と前記著作物とを比較することで前記著作物の正当性を判断する判断手段、
前記判断手段の判断結果が付された前記著作物を、ユーザが利用する端末装置に送信する送信手段、
として機能させるプログラム。
【発明の詳細な説明】
【技術分野】
【０００１】
本発明は、情報処理装置及びプログラムに関する。
【背景技術】
【０００２】
著作物の正当性が判断される場合がある。
【０００３】
特許文献１には、コンテンツが著作権に抵触しているか否かについての判定の対象となるコンテンツを抽出するシステムが記載されている。
【０００４】
特許文献２には、ユーザが閲覧しているウェブページ内のコンテンツの著作権侵害を調べて、発見された著作権侵害をサーバに通知するシステムが記載されている。
【０００５】
特許文献３には、コンテンツに著作権情報が埋め込まれていることが検出された場合、通知先に通知する装置が記載されている。
【０００６】
特許文献４には、著作権確認対象コンテンツから特徴データを抽出し、同じ特徴を有するコンテンツが検出された場合、著作権確認対象コンテンツの転送を不可と判断する装置が記載されている。
【先行技術文献】
【特許文献】
【０００７】
【特許文献１】特開２００９−２１７６６１号公報
【特許文献２】特開２００２−３６６５３１号公報
【特許文献３】特開２００３−３０３５９号公報
【特許文献４】特開２００８−２１７５７２号公報
【発明の概要】
【発明が解決しようとする課題】
【０００８】
ところで、著作物を利用する度に、著作物の正当性を判断する団体等の判断手段に著作物を送信して著作物の正当性を判断し、その判断結果が得られてから著作物の利用を許可することが考えられる。しかし、著作物を利用する度に、著作物を判断手段に送信して正当性を判断することになると、著作物の利用までに時間がかかる。
【０００９】
本発明の目的は、正当性が既に判断されている著作物について、著作物の正当性の判断を簡易な手順で確認できるようにすることにある。
【課題を解決するための手段】
【００１０】
請求項１に係る発明は、著作物の正当性を判断する判断手段に前記著作物を送信する送信手段と、前記判断手段の判断結果が付された前記著作物を前記判断手段から受信する受信手段と、を有する情報処理装置である。
【００１１】
請求項２に係る発明は、前記送信手段が、前記判断結果が付された前記著作物を前記判断手段に送信した場合、前記判断結果が付される前とは異なる判断プロセスによって前記判断手段によって正当性が判断され、前記受信手段は、前記異なる判断プロセスによる判断結果が付された前記著作物を受信する、ことを特徴とする請求項１に記載の情報処理装置である。
【００１２】
請求項３に係る発明は、前記異なる判断プロセスは、前記判断結果が付される前の前記著作物を前記判断手段に送信したユーザと、前記判断結果が付された前記著作物を前記判断手段に送信したユーザとが同じ場合、前記著作物は正当であると判断することである、ことを特徴とする請求項２に記載の情報処理装置である。
【００１３】
請求項４に係る発明は、前記異なる判断プロセスは、前記判断結果が付される前の前記著作物を前記判断手段に送信したユーザと、前記判断結果が付された前記著作物を前記判断手段に送信したユーザとが異なる場合、警告を通知すると判断することである、ことを特徴とする請求項２に記載の情報処理装置である。
【００１４】
請求項５に係る発明は、前記受信手段が、前記判断結果が付された前記著作物を受信した場合、前記判断結果が付される前の前記著作物を削除する、又は、前記判断結果が付される前の前記著作物に、前記判断結果が付された前記著作物を上書きする処理手段を更に有する、ことを特徴とする請求項１から請求項４のいずれか一項に記載の情報処理装置である。
【００１５】
請求項６に係る発明は、前記削除又は前記上書きの結果を前記判断手段に通知する通知手段を更に有する、ことを特徴とする請求項５に記載の情報処理装置である。
【００１６】
請求項７に係る発明は、前記受信手段が、前記判断結果が付された前記著作物を受信した場合、前記判断結果に応じて前記著作物に対して実行が許可される処理を示す情報を表示手段に表示させる制御手段を更に有する、ことを特徴とする請求項１から請求項６のいずれか一項に記載の情報処理装置である。
【００１７】
請求項８に係る発明は、前記判断結果に応じて、前記著作物に対する処理の実行を許可する許可手段を更に有する、ことを特徴とする請求項１から請求項７のいずれか一項に記載の情報処理装置である。
【００１８】
請求項９に係る発明は、前記許可手段は、前記判断手段による判断が行われる前は、前記著作物に対する処理の実行を制限する、ことを特徴とする請求項８に記載の情報処理装置である。
【００１９】
請求項１０に係る発明は、前記許可手段は、外部への前記著作物の送信、及び、前記著作物の複製の中の少なくとも１つの実行を制限する、ことを特徴とする請求項９に記載の情報処理装置である。
【００２０】
請求項１１に係る発明は、前記許可手段は、処理の実行が制限されていても、前記著作物の削除を許可する、ことを特徴とする請求項９又は請求項１０に記載の情報処理装置である。
【００２１】
請求項１２に係る発明は、前記判断手段による判断は、著作物を管理する団体にて実行される、ことを特徴とする請求項１から請求項１１のいずれか一項に記載の情報処理装置である。
【００２２】
請求項１３に係る発明は、前記団体は、著作物の最初の送信先である、ことを特徴とする請求項１２に記載の情報処理装置である。
【００２３】
請求項１４に係る発明は、前記著作物の複数の送信先が指定された場合であっても、前記送信手段は、前記著作物を最初に前記判断手段に送信する、ことを特徴とする請求項１３に記載の情報処理装置である。
【００２４】
請求項１５に係る発明は、前記最初の送信先は、管理者以外のユーザによって変更が不可能である、ことを特徴とする請求項１３又は請求項１４に記載の情報処理装置である。
【００２５】
請求項１６に係る発明は、前記送信手段は、前記著作物に対する処理の実行前に、前記著作物を前記判断手段に送信する、ことを特徴とする請求項１から請求項１５のいずれか一項に記載の情報処理装置である。
【００２６】
請求項１７に係る発明は、前記著作物の正当性が過去に判断された場合であっても、前記著作物に処理が実行される場合、前記送信手段は、前記著作物を前記判断手段に再度送信する、ことを特徴とする請求項１６に記載の情報処理装置である。
【００２７】
請求項１８に係る発明は、正当性判断の対象である著作物を受信する受信手段と、正当性判断に用いられる情報と前記著作物とを比較することで前記著作物の正当性を判断する判断手段と、前記判断手段の判断結果が付された前記著作物を、ユーザが利用する端末装置に送信する送信手段と、を有する情報処理装置である。
【００２８】
請求項１９に係る発明は、前記受信手段が、前記判断結果が付された前記著作物を受信した場合、前記判断手段は、前記著作物を当該判断手段に送信したユーザの情報のみに基づいて、前記著作物の正当性を判断する、ことを特徴とする請求項１８に記載の情報処理装置である。
【００２９】
請求項２０に係る発明は、前記受信手段が受信した前記著作物は、次の正当性判断に用いられる情報に含まれる、ことを特徴とする請求項１８又は請求項１９に記載の情報処理装置である。
【００３０】
請求項２１に係る発明は、コンピュータを、著作物の正当性を判断する判断手段に前記著作物を送信する送信手段、前記判断手段の判断結果が付された前記著作物を前記判断手段から受信する受信手段、として機能させるプログラムである。
【００３１】
請求項２２に係る発明は、コンピュータを、正当性判断の対象である著作物を受信する受信手段、正当性判断に用いられる情報と前記著作物とを比較することで前記著作物の正当性を判断する判断手段、前記判断手段の判断結果が付された前記著作物を、ユーザが利用する端末装置に送信する送信手段、として機能させるプログラムである。
【発明の効果】
【００３２】
請求項１，１８，２１，２２に係る発明によれば、正当性が既に判断されている著作物について、著作物の正当性の判断を簡易な手順で確認できる。
【００３３】
請求項２，３，４，１９に係る発明によれば、正当性が既に判断されている著作物については、判断結果が付される前とは異なる判断プロセスによって正当性を判断することできる。
【００３４】
請求項５，６に係る発明によれば、判断結果が付された著作物と判断結果が付されていない著作物の両方が併存することを防止することができる。
【００３５】
請求項７に係る発明によれば、ユーザは、判断結果が付された著作物に対して実行が許可される処理を認識することができる。
【００３６】
請求項８に係る発明によれば、判断結果に応じた処理の実行が許可される。
【００３７】
請求項９，１０，１１に係る発明によれば、正当性が判断されていない著作物に対する処理の実行を制限することができる。
【００３８】
請求項１２に係る発明によれば、著作物を管理する団体によって正当性が判断される。
【００３９】
請求項１３，１４，１５に係る発明によれば、正当性を判断する団体に送信される前に、別の装置に著作物が送信されることを防止することができる。
【００４０】
請求項１６に係る発明によれば、正当性が判断されていない著作物に対して処理が実行されることを防止することができる。
【００４１】
請求項１７に係る発明によれば、処理が実行される度に、著作物の正当性を判断することができる。
【００４２】
請求項２０に係る発明によれば、受信手段が受信した著作物を用いて、別の著作物の正当性を判断することができる。
【図面の簡単な説明】
【００４３】
【図１】本実施形態に係る情報処理システムの構成を示すブロック図である。
【図２】本実施形態に係る判断装置の構成を示すブロック図である。
【図３】本実施形態に係る端末装置の構成を示すブロック図である。
【図４】画面を示す図である。
【図５】画面を示す図である。
【図６】画面を示す図である。
【発明を実施するための形態】
【００４４】
以下、図１を参照して、本実施形態に係る情報処理システムについて説明する。図１には、本実施形態に係る情報処理システムの構成の一例が示されている。
【００４５】
本実施形態に係る情報処理システムは、判断装置１０と、１又は複数の端末装置１２とを含む。情報処理システムは、これら以外の装置を含んでもよい。
【００４６】
判断装置１０及び端末装置１２は、通信経路Ｎを介して他の装置と通信してもよい。通信経路Ｎは、例えば、ＬＡＮ（Local Area Network）等のネットワークやインターネット等である。通信経路Ｎは、有線通信によって構築されてもよいし、Ｗｉ−Ｆｉ（登録商標）等の無線通信によって構築されてもよい。判断装置１０及び端末装置１２は、例えば、無線通信又は有線通信を利用して通信経路Ｎに接続し、通信経路Ｎを介して他の装置と通信する。判断装置１０及び端末装置１２は、通信経路Ｎを介さずに近距離無線通信等を利用して他の装置と通信してもよい。近距離無線通信は、例えば、Ｂｌｕｅｔｏｏｔｈ（登録商標）やＲＦＩＤ（Radio Frequency Identifier）やＮＦＣ等である。
【００４７】
判断装置１０は、著作物データの正当性を判断するように構成されている装置である。例えば、判断対象の著作物データが端末装置１２から判断装置１０に送信されると、判断装置１０は、当該判断対象の著作物データを受信し、当該判断対象の著作物データの正当性を判断し、当該判断結果を示す情報を当該端末装置１２に送信する。判断装置１０は、当該判断結果を示す情報を当該判断対象の著作物データに付し、当該判断結果を示す情報が付された当該判断対象の著作物データを当該端末装置１２に送信してもよい。判断装置１０は、端末装置１２から著作物データを受信し、当該著作物データの適用性を判断し、当該判断結果を示す情報を当該端末装置１２に送信するように構成されている情報処理装置の一例に相当する。判断装置１０は、サーバであってもよい。また、判断装置１０は、端末装置１２から判断装置１０に送信された著作物データを記憶してもよい。
【００４８】
判断装置１０は、例えば、著作物データを管理する団体や、著作物データを提供する団体等に設けられる。具体的には、判断装置１０は、著作物データが正当に利用されているか否かを判断する団体に設けられてもよいし、著作物データの不当な利用を監視する団体に設けられてもよいし、著作権に関する紛争を処理する団体に設けられてもよいし、著作物データの利用に対する対価を取得する団体に設けられてもよいし、著作物データの配信や販売等を行う団体に設けられてもよいし、公的機関（例えば行政機関等）に設けられてもよいし、プラットフォーム事業者に設けられてもよい。判断装置１０による正当性の判断は、上記の団体にて実行される。
【００４９】
端末装置１２は、著作物データを判断装置１０に送信するときに用いられる装置である。一例として、端末装置１２は、パーソナルコンピュータ（以下、「ＰＣ」と称する）、タブレットＰＣ、スマートフォン、携帯電話、又は、その他の装置（例えば、スキャナやプリンタ等を有する複合機）である。もちろん、これらの装置は端末装置１２の一例に過ぎない。なお、端末装置１２は、著作物データを判断装置１０に送信し、当該著作物データの正当性の判断結果を示す情報を判断装置１０から受信するように構成されている情報処理装置の一例に相当する。
【００５０】
著作物データは、例えば、文書データ（例えばテキストデータ等）、画像データ（例えば静止画像データや動画像データ等）、音楽データ、音声データ、又は、これらのデータの組み合わせ等であり、その種類や内容については特に限定はない。例えば、著作権法に例示されている著作物が、本実施形態に係る著作物の概念の範疇に含まれる。例えば、言語の著作物（例えば小説や脚本や論文等）や、音楽の著作物や、舞踏の著作物や、美術の著作物（例えば絵画や版画や彫刻や美術工芸品等）や、建築の著作物や、図形の著作物（例えば地図や図面等）や、映画の著作物（例えば映画やテレビやテレビゲーム等）や、写真の著作物や、プログラムの著作物や、これらの二次的著作物等が、本実施形態に係る著作物の概念の範疇に含まれる。もちろん、これら以外の著作物が、本実施形態に係る著作物の概念の範疇に含まれてもよい。
【００５１】
著作物データには、当該著作物データの属性を示す属性情報が付帯している。著作物データに付帯する属性情報は、当該著作物データの属性を示す情報である。属性情報は、例えば、著作物データの内容を示す内容情報と、著作物データが作成された日である作成日を示す作成日情報とを含む。著作物データの内容は、著作物データそのものであってもよいし、著作物データの特徴であってもよいし、著作物データの概要であってもよい。作成日は、著作物データが創作された日である。作成日情報は、著作物データが作成された日時である作成日時を示す情報であってもよい。属性情報は、更に、著作物データのタイトルを示すタイトル情報、著作物データが更新された日である更新日を示す更新日情報、及び、著作者名を示す著作者情報等を含んでもよい。更新日情報は、著作物データが更新された日時である更新日時を示す情報であってもよい。もちろん、これら以外の情報（例えば著作権者を示す情報等）が属性情報に含まれてもよい。
【００５２】
著作物データが、非電子の著作物の原作を表すデータ（例えば文書データや画像データ）である場合、その原作が作成された日である原作作成日を示す情報や、その原作が作成された日時である原作作成日時を示す情報や、その原作の著作者名を著作者情報も、属性情報に含まれてもよい。非電子の著作物とは、電子化（つまりデータ化）されていない著作物である。例えば、原作であり電子化されていない書籍を表す画像データが著作物データとして作成された場合、当該著作物データの属性情報には、当該書籍の原作作成日や原作作成日時を示す情報と、当該書籍を表す画像データの作成日や作成日時を示す情報と、当該書籍の著作者を示す著作者情報が含まれる。例えば、電子化されていない書籍をスキャンすることで当該書籍を表す画像データが著作物データとして生成された場合、当該書籍に記載されている作成日が原作作成日として用いられ、当該著作物データが作成された日が当該著作物データの作成日として用いられる。なお、書籍をスキャンすることで、当該書籍に記載されている作成日を示す情報が取得されて属性情報に含まれてもよい。
【００５３】
著作物データが正当であるとは、著作物データが法律や命令や規則や契約等に反しないことである。例えば、著作権法等の法律や契約に反して複製されることで生成された著作物データは、正当な著作物データではなく、不当な著作物データ（例えば法律に反する違法な著作物データや契約に反する著作物データ）である。著作物データの正当性の概念の範疇には、著作物データの利用の正当性が含まれてもよい。著作物データの利用が正当であるとは、著作物データの利用が法律や命令や規則や契約等に反しないことである。例えば、著作権法等の法律や契約に反する利用は、正当な利用ではなく、不当な利用（例えば法律に反する違法な利用や契約に反する利用）である。
【００５４】
以下、図２を参照して、判断装置１０の構成について詳しく説明する。図２には、判断装置１０の構成の一例が示されている。
【００５５】
通信部１４は通信インターフェースであって、他の装置に情報を送信する機能、及び、他の装置から情報を受信する機能を有する。通信部１４は、無線通信機能を有していてもよいし、有線通信機能を有していてもよい。通信部１４は、無線通信又は有線通信を利用することで通信経路Ｎを介した他の装置と通信してもよいし、近距離無線通信等を利用することで通信経路Ｎを介さずに他の装置と通信してもよい。
【００５６】
通信部１４は、送信手段及び受信手段の一例に相当する。正当性の判断対象となる著作物データが端末装置１２から判断装置１０に送信されると、通信部１４は、当該判断対象の著作物データを受信する。著作物データには属性情報が付帯しているため、通信部１４は、当該属性情報も受信する。端末装置１２から判断装置１０に判断対象の著作物データが送信されず、判断対象の著作物データに付帯する属性情報のみが送信されてもよい。この場合、通信部１４は、当該属性情報を受信する。
【００５７】
また、通信部１４は、判断部２０の判断結果を示す情報を端末装置１２に送信する。判断結果を示す情報が判断対象の著作物データに付された場合、通信部１４は、判断結果を示す情報が付された著作物データを端末装置１２に送信する。
【００５８】
受付部１６は、正当性の判断対象となる著作物データを受け付けるように構成されている。通信部１４が判断対象の著作物データを受信すると、受付部１６は、当該判断対象の著作物データを受け付ける。著作物データには属性情報が付帯しているため、受付部１６は、当該属性情報も受け付ける。端末装置１２から判断装置１０に著作物データが送信されず、判断対象の著作物データに付帯する属性情報のみが送信されてもよい。この場合、受付部１６は、当該属性情報を受け付ける。
【００５９】
記憶部１８は、各種の情報を記憶する１又は複数の記憶領域である。各記憶領域は、例えば、判断装置１０に設けられている１又は複数の記憶装置（例えばハードディスクドライブやメモリ等の物理ドライブ）によって構成されている。
【００６０】
記憶部１８には判断基準情報が記憶されている。判断基準情報は、著作物データの正当性を判断するための情報である。例えば、判断部２０によって既に正当性が判断された著作物データの属性情報が、判断基準情報に含まれる。この場合、判断基準情報は、判断装置１０によって既に正当性が判断された著作物データの属性情報を管理するための情報であるといえる。また、正当性の判断の実行を指示したユーザを識別するためのユーザ識別情報や、判断対象の著作物データを判断装置１０に送信した端末装置１２を識別するための装置識別情報が、判断基準情報に含まれてもよい。ユーザ識別情報は、例えば、ユーザの氏名やＩＤやアカウントや電子メールアドレス等を示す情報である。端末識別情報は、例えば、ＭＡＣアドレスやＩＰアドレス等を示す情報である。なお、判断装置１０によって既に正当性が判断された著作物データそのものが、判断基準情報に含まれてもよい。
【００６１】
著作物記憶部に記憶されている著作物データの属性情報が、判断基準情報に含まれてもよい。この場合、判断基準情報は、著作物記憶部に記憶されている著作物データの属性情報を管理するための情報であるといえる。著作物記憶部は、１又は複数の記憶装置（例えばハードディスクドライブやメモリ等の物理ドライブ）によって構成されている。著作物記憶部は、判断装置１０に設けられてもよいし、サーバ等の別の装置に設けられてもよい。また、著作物データを著作物記憶部に記憶させたユーザを識別するためのユーザ識別情報や、著作物データを著作物記憶部に送信した端末装置１２を識別するための端末識別情報が、判断基準情報に含まれてもよい。なお、著作物記憶部に記憶されている著作物データそのものが、判断基準情報に含まれてもよい。
【００６２】
判断部２０は、判断基準情報に基づいて著作物データの正当性を判断するように構成されている。判断部２０は、例えば、判断対象の著作物データの属性情報と、判断基準情報に含まれている属性情報とに基づいて、当該著作物データの正当性を判断する。
【００６３】
通信部１４は、判断部２０による判断結果を示す情報を、正当性の判断を指示したユーザが利用する端末装置１２に送信する。例えば、判断結果を示す情報は、当該端末装置１２に表示される。
【００６４】
また、判断部２０は、判断結果を示す情報を判断対象の著作物データに付してもよい。この場合、通信部１４は、判断結果を示す情報が付された著作物データを端末装置１２に送信する。判断部２０は、判断結果を示す情報を付帯情報として著作物データに付してもよいし、判断結果を示す情報を著作物データ自体に埋め込んでもよい。
【００６５】
例えば、判断対象の著作物データの内容と同じ内容を有する別の著作物データの属性情報が、判断基準情報に含まれていない場合、判断部２０は、判断対象の著作物データが正当であると判断する。当該別の著作物データの属性情報が判断基準情報に含まれていないということは、当該別の著作物データの正当性が判断部２０によって判断されていない、又は、当該別の著作物データが著作物記憶部に記憶されていないことを意味する。つまり、これは、判断対象の著作物データの正当性が、当該別の著作物データよりも先に判断部２０によって判断された、又は、判断対象の著作物データが、当該別の著作物データよりも先に著作物記憶部に記憶されたことを意味する。この場合、判断対象の著作物データは、オリジナルの著作物データであると推測される。つまり、判断部２０は、判断対象の著作物データをオリジナルの著作物データであると判断する。オリジナルの著作物データは、元の著作物データであって、当該オリジナルの著作物データの内容と同じ内容を有する別の著作物データよりも先に作成された著作物データである。つまり、判断対象の著作物データの内容と同じ内容を有する別の著作物データの属性情報が、判断基準情報に含まれていない場合、判断対象の著作物データは、不当に作成された著作物データではないと推測される。判断対象の著作物データが正当であることを示す情報が、判断装置１０から端末装置１２に送信されて端末装置１２に表示される。判断対象の著作物データが正当であることを示す情報が当該著作物データに付されてもよい。この場合、判断対象の著作物データが正当であることを示す情報が付された著作物データが、判断装置１０から端末装置１２に送信される。
【００６６】
判断対象の著作物データの内容と同じ内容を有する別の著作物データの属性情報が、判断基準情報に含まれている場合、判断部２０は、これらの著作物データの中で作成日が最も早い著作物データがオリジナルの著作物データであると判断する。つまり、これらの著作物データの中で作成日が最も早い著作物データが、最初に作成された著作物データであると推測される。作成日が遅い著作物データは、後から作成された著作物データであると推測される。
【００６７】
判断対象の著作物データの内容と同じ内容を有する別の著作物データの属性情報が、判断基準情報に含まれている場合において、判断対象の著作物データの作成日が、当該別の著作物データの作成日よりも早い場合、判断部２０は、判断対象の著作物データは正当であると判断する。つまり、判断対象の著作物データはオリジナルの著作物データであると推測されるため、判断部２０は、判断対象の著作物データは正当であると判断する。当該別の著作物データが著作物記憶部に記憶されている場合、制御部２４は、当該別の著作物データを著作物記憶部から削除してもよい。
【００６８】
判断対象の著作物データの内容と同じ内容を有する別の著作物データの属性情報が、判断基準情報に含まれている場合において、判断対象の著作物データの作成日が、当該別の著作物データの作成日よりも遅い場合、判断部２０は、判断対象の著作物データは正当ではないと判断する。つまり、判断対象の著作物データはオリジナルの著作物データではないと推測されるため、判断部２０は、判断対象の著作物データは正当ではないと判断する。判断対象の著作物データが正当ではないことを示す情報が、判断装置１０から端末装置１２に送信されて端末装置１２に表示される。判断対象の著作物データが正当ではないことを示す情報が当該著作物データに付されてもよい。この場合、判断対象の著作物データが正当ではないことを示す情報が付された著作物データが、判断装置１０から端末装置１２に送信される。
【００６９】
判断対象の著作物データの内容と同じ内容を有する別の著作物データの属性情報が、判断基準情報に含まれている場合において、判断対象の著作物データの作成日と、当該別の著作物データの作成日とが同じである場合、判断部２０は、判断対象の著作物データは正当ではないと判断してもよいし、判断対象の著作物データは正当であると判断してもよい。正当又は不当は、ユーザや管理者等によって設定されてもよい。判断部２０は、これらの著作物データのそれぞれの作成日時を比較し、作成日時が最も早い著作物データをオリジナルの著作物データであると判断してもよい。判断対象の著作物データの作成日時が、当該別の著作物データの作成日時よりも早い場合、判断部２０は、判断対象の著作物データは正当であると判断する。判断対象の著作物データの作成日時が、当該別の著作物データの作成日時よりも遅い場合、判断部２０は、判断対象の著作物データは正当ではないと判断する。これらの著作物データの作成日時が同じである場合、判断部２０は、判断対象の著作物データは適用ではないと判断してもよいし、判断対象の著作物データは正当であると判断してもよい。正当又は不当は、ユーザや管理者等によって設定されてもよい。
【００７０】
また、判断対象の著作物データの内容と同じ又は類似する内容を有する別の著作物データの属性情報が、判断基準情報に含まれていない場合、判断部２０は、判断対象の著作物データは正当であると判断してもよい。つまり、判断対象の著作物データの内容の類似範囲に含まれる別の著作物データの属性情報が、判断基準情報に含まれていない場合、判断部２０は、判断対象の著作物データは正当であると判断する。判断対象の著作物データの内容と同じ又は類似する内容を有する別の著作物データの属性情報が、判断基準情報に含まれていない場合、判断対象の著作物データは、オリジナルの著作物データであると推測される。
【００７１】
判断対象の著作物データの内容と同じ又は類似する内容を有する別の著作物データの属性情報が、判断基準情報に含まれている場合、判断部２０は、これらの著作物データの中で作成日が最も早い著作物データをオリジナルの著作物データであると判断する。
【００７２】
ある著作物データの内容と別の著作物データの内容とが類似するとは、これらの著作物データの内容が一致する程度が、予め定められた閾値以上となることである。例えば、ある著作物データと別の著作物データとを対象として、各著作物データを構成するタイトルや文章や図や色や音や画像等の各要素や、これらの要素の組み合わせや、各要素の相対的な関係（例えば位置関係や大小関係や色関係等）等を比較することで、これらの著作物データ間の類似度が算出される。その類似度が閾値以上である場合、これらの著作物データの内容は互いに類似していると判定される。この処理は、判断部２０によって行われてもよいし、サーバ等の装置によって行われてもよい。もちろん、公知の技術を用いて類似が判定されてもよい。例えば、画像や文書や音等の類似度を算出する公知のアルゴリズムが用いられてもよい。
【００７３】
判断対象の著作物データの内容と同じ又は類似する内容を有する別の著作物データの属性情報が、判断基準情報に含まれている場合において、判断対象の著作物データの作成日が、当該別の著作物データの作成日よりも早い場合、判断部２０は、判断対象の著作物データは正当であると判断する。つまり、判断対象の著作物データはオリジナルの著作物データであると推測されるため、判断部２０は、判断対象の著作物データは正当であると判断する。
【００７４】
判断対象の著作物データの内容と同じ又は類似する内容を有する別の著作物データの属性情報が、判断基準情報に含まれている場合において、判断対象の著作物データの作成日が、当該別の著作物データの作成日よりも遅い場合、判断部２０は、判断対象の著作物データは正当ではないと判断する。つまり、判断対象の著作物データはオリジナルの著作物データではないと推測されるため、判断部２０は、判断対象の著作物データは正当ではないと判断する。
【００７５】
判断対象の著作物データの内容と同じ又は類似する内容を有する別の著作物データの属性情報が、判断基準情報に含まれている場合において、判断対象の著作物データの作成日と、当該別の著作物データの作成日とが同じである場合、判断部２０は、判断対象の著作物データは正当ではないと判断してもよいし、判断対象の著作物データは正当であると判断してもよい。正当又は不当は、ユーザや管理者等によって設定されてもよい。判断部２０は、これらの著作物データのそれぞれの作成日時を比較し、作成日時が最も早い著作物データをオリジナルの著作物データであると判断してもよい。この場合において、判断対象の著作物データの作成日時が、当該別の著作物データの作成日時よりも早い場合、判断部２０は、判断対象の著作物データは正当であると判断する。判断対象の著作物データの作成日時が、当該別の著作物データの作成日時よりも遅い場合、判断部２０は、判断対象の著作物データは適用ではないと判断する。これらの著作物データの作成日時が同じである場合、判断部２０は、判断対象の著作物データは正当ではないと判断してもよいし、判断対象の著作物データは正当であると判断してもよい。正当又は不当は、ユーザや管理者等によって設定されてもよい。
【００７６】
著作物データの作成日や作成日時が不明である場合、判断部２０は、著作物データの最新の更新日や更新日時に基づいて正当性を判断してもよい。更新日や更新日時を示す情報は、著作物データの属性情報に含まれている。
【００７７】
著作物データの内容が更新された場合、判断部２０は、更新後の内容に応じて判断結果を変える。例えば、判断対象の著作物データの内容が更新されている場合、判断部２０は、その更新された内容と同じ内容を有する別の著作物データの属性情報が、判断基準情報に含まれているか否かに応じて判断結果を変える。その更新された内容と同じ内容を有する別の著作物データの属性情報が判断基準情報に含まれていない場合、判断部２０は、判断対象の著作物データは正当であると判断する。その更新された内容と同じ内容を有する別の著作物データの属性情報が判断基準情報に含まれている場合において、判断対象の著作物データの更新日が、当該別の著作物データの作成日よりも早い場合、判断部２０は、判断対象の著作物データは正当であると判断する。当該別の著作物データの内容が更新されている場合において、判断対象の著作物データの更新日が、当該別の著作物データの更新日よりも早い場合、判断部２０は、判断対象の著作物データは正当であると判断してもよい。判断対象の著作物データの更新日が、当該別の著作物データの作成日よりも遅い場合、判断部２０は、判断対象の著作物データは正当ではないと判断する。判断対象の著作物データの更新日が、当該別の著作物データの更新日よりも遅い場合、判断部２０は、判断対象の著作物データは正当ではないと判断してもよい。判断部２０は、判断対象の著作物データの更新された内容と類似する内容を有する著作物データの属性情報が、判断基準情報に含まれているか否かに応じて判断結果を変えてもよい。この場合も、上記の判断処理と同じ処理が行われる。
【００７８】
管理部２２は、判断部２０によって正当性が判断された著作物データの属性情報を管理するように構成されている。具体的には、判断部２０によって正当性が判断された著作物データの属性情報を判断基準情報に登録する。こうすることで、正当性が判断された著作物データは、次の正当性の判断（つまり別の著作物データの正当性の判断）に用いられる。管理部２２は、正当であると判断された著作物データの属性情報を判断基準情報に登録し、正当ではないと判断された著作物データの属性情報を判断基準情報に登録しなくてもよい。もちろん、管理部２２は、正当ではないと判断された著作物データの属性情報を判断基準情報に登録してもよい。
【００７９】
管理部２２は、著作物記憶部に記憶されている著作物データの属性情報を判断基準情報に登録してもよい。例えば、著作物データが著作物記憶部に記憶されると、管理部２２は、当該著作物データの属性情報を判断基準情報に登録する。例えば、判断部２０によって正当であると判断された著作物データが、著作物記憶部に送信されて著作物記憶部に記憶される。
【００８０】
制御部２４は、判断装置１０の各部の動作を制御するように構成されている。制御部２４は、例えば、判断部２０による判断結果を示す情報を、正当性の判断の実行を指示したユーザが利用する端末装置１２に表示させる。具体的には、判断結果を示す情報は、制御部２４の制御の下、判断装置１０から端末装置１２に送信されて、端末装置１２に表示される。
【００８１】
以下、図３を参照して、端末装置１２の構成について詳しく説明する。図３には、端末装置１２の構成の一例が示されている。ここでは一例として、端末装置１２は、ＰＣ、タブレットＰＣ、スマートフォン又は携帯電話であるものとする。
【００８２】
通信部２６は通信インターフェースであって、他の装置に情報を送信する機能、及び、他の装置から情報を受信する機能を有する。通信部２６は、無線通信機能を有していてもよいし、有線通信機能を有していてもよい。通信部２６は、無線通信又は有線通信を利用することで通信経路Ｎを介した他の装置と通信してもよいし、近距離無線通信等を利用することで通信経路Ｎを介さずに他の装置と通信してもよい。
【００８３】
通信部２６は、送信手段及び受信手段の一例に相当する。通信部２６は、正当性の判断対象となる著作物データを判断装置１０に送信する。また、正当性の判断結果を示す情報が判断装置１０から端末装置１２に送信されると、通信部２６は、当該判断結果を示す情報を受信する。判断結果を示す情報が付された著作物データが、判断装置１０から端末装置１２に送信されると、通信部２６は、判断結果を示す情報が付された著作物データを受信する。
【００８４】
ＵＩ部２８はユーザインターフェースであって、表示部と操作部とを含む。表示部は、液晶ディスプレイ等の表示装置である。操作部は、キーボードや入力キーや操作パネル等の入力装置である。ＵＩ部２８は、表示部と操作部とを兼ね備えたタッチパネル等のＵＩ部であってもよい。
【００８５】
記憶部３０は、各種の情報を記憶する１又は複数の記憶領域である。各記憶領域は、例えば、端末装置１２に設けられている１又は複数の記憶装置（例えばハードディスクドライブやメモリ等の物理ドライブ）によって構成されている。
【００８６】
処理部３２は、著作物データに対して処理を実行するように構成されている。処理は、例えば、外部装置への著作物データの送信（例えばアップロード）、著作物データの複製、著作物データの閲覧、又は、著作物データの変更（例えば編集や加工等）、又は、著作物データの削除等である。
【００８７】
許可部３４は、正当性の判断対象の著作物データについての正当性の判断結果に応じて、当該著作物データに対する処理部３２による処理の実行を許可するように構成されている。許可部３４は、判断装置１０から端末装置１２に送信された、判断結果を示す情報に基づいて、処理の実行を許可するか否かを判断する。
【００８８】
判断対象の著作物データが正当であると判断された場合、許可部３４は、当該著作物データに対する処理部３２による処理の実行を許可する。つまり、処理の実行は禁止されない。この場合に、ユーザによって処理の実行が指示された場合、処理部３２は、当該指示に従って、正当であると判断された著作物データに対して処理を実行する。
【００８９】
判断対象の著作物データが正当ではないと判断された場合、許可部３４は、当該著作物データに対する処理部３２による処理の実行を制限する。処理の実行を制限するとは、正当ではないと判断された著作物データに対する全ての処理の実行が禁止されることであってもよいし、実行可能な複数の処理の中の一部の処理の実行が禁止され、他の一部の処理の実行が許可されることであってもよいし、処理能力が低下した状態で処理の実行が許可されることであってもよいし、料金を支払うことで処理の実行が許可されることであってもよい。
【００９０】
一部の処理の実行が禁止される場合の一例として、許可部３４は、外部装置への著作物データの送信、及び、著作物データの複製の中の少なくとも１つの処理の実行を制限する。著作物データの送信や複製が禁止されてもよいし、送信の回数や複製の回数に上限が設定されてもよいし、送信や複製を実行するために料金が発生してもよい。
【００９１】
処理能力が低下することとは、処理の速度が低下することや、処理の回数に上限が設定されること等である。実行が禁止された処理の実行がユーザによって指示された場合、処理部３２は、正当ではないと判断された著作物データに対して当該処理を実行しない。
【００９２】
許可部３４は、正当性の判断対象の著作物データについての正当性の判断が行われる前は、当該著作物データに対する処理部３２による処理の実行を制限してもよい。つまり、許可部３４は、正当性の判断結果が得られていない著作物データに対する処理部３２による処理の実行を制限する。
【００９３】
許可部３４は、正当ではないと判断された著作物データに対する処理の実行が制限されていても、当該著作物データの削除を許可してもよい。例えば、ユーザが当該著作物データの削除を指示した場合、処理部３２は、当該著作物データを削除する。
【００９４】
通知部３６は、処理部３２による処理の結果を判断装置１０に通知するように構成されている。
【００９５】
制御部３８は、端末装置１２の各部の動作を制御するように構成されている。例えば、正当性の判断結果を示す情報が、判断装置１０から端末装置１２に送信されてきた場合、制御部３８は、当該判断結果を示す情報をＵＩ部２８の表示部に表示させる。
【００９６】
なお、判断部２０は端末装置１２に設けられていてもよい。この場合、端末装置１２にて判断部２０による処理が実行されてもよい。
【００９７】
以下、実施例１，２について説明する。
【００９８】
（実施例１）
実施例１においては、判断装置１０によって著作物データの正当性が判断されると、その判断結果を示す情報は著作物データに付されずに、判断装置１０から端末装置１２に送信される。例えば、判断結果を示す情報は、端末装置１２のＵＩ部２８の表示部に表示される。
【００９９】
また、実施例１においては、処理部３２によって著作物データに処理が実行される前に、端末装置１２の通信部２６は、当該著作物データを判断装置１０に送信する。例えば、ユーザがＵＩ部２８を操作して著作物データに対する処理の実行を指示すると、通信部２６は、当該処理が実行される前に、当該著作物データを判断装置１０に送信する。判断装置１０によって当該著作物データの正当性が判断され、その判断結果を示す情報が判断装置１０から端末装置１２に送信される。著作物データが正当であり、当該処理の実行が許可される場合、処理部３２は、当該処理を実行する。著作物データが正当ではなく、当該処理の実行が制限される場合、処理部３２は、当該処理を実行しない、又は、処理能力が低下した状態で当該処理を実行する。
【０１００】
実施例１においては、著作物データの正当性が過去に判断された場合であっても、当該著作物データに処理部３２によって処理が実行される場合、通信部２６は、当該著作物データを判断装置１０に送信してもよい。このように、著作物データに対して処理が実行されようとしている度に、当該著作物データが端末装置１２から判断装置１０に送信され、判断装置１０によって当該著作物データの正当性が判断されてもよい。
【０１０１】
端末装置１２の通信部２６が、判断対象の著作物データについての正当性の判断結果を示す情報を受信した場合、制御部３８は、当該判断結果に応じて当該著作物データに対して実行が許可される処理を示す情報をＵＩ部２８の表示部に表示させてもよい。実行が許可される処理は、許可部３４によって許可される処理である。例えば、一部の処理の実行が許可されており、他の一部の処理の実行が禁止されている場合、当該一部の処理を示す情報が、ＵＩ部２８の表示部に表示される。もちろん、制御部３８は、実行が禁止された処理を示す情報もＵＩ部２８の表示部に表示させてもよい。この場合、制御部３８は、実行が許可された処理を示す情報には、実行が許可されたことを示す情報を紐付け、実行が禁止された処理を示す情報には、実行が禁止されたことを示す情報を紐付け、各情報をＵＩ部２８の表示部に表示させる。
【０１０２】
（実施例２）
実施例２においては、判断装置１０によって著作物データの正当性が判断されると、その判断結果を示す情報が付された著作物データが、判断装置１０から端末装置１２に送信される。例えば、判断結果を示す情報は、端末装置１２のＵＩ部２８の表示部に表示される。
【０１０３】
著作物データに付されている判断結果を示す情報を参照することで、当該著作物データの正当性の判断結果が確認される。例えば、処理部３２によって著作物データに処理が実行される前に、端末装置１２の制御部３８は、当該著作物データに付されている判断結果を示す情報に基づいて、当該著作物データの正当性の判断結果を確認する。著作物データが正当であり、当該処理の実行が許可される場合、処理部３２は、当該処理を実行する。著作物データが正当ではなく、当該処理の実行が許可されない場合、処理部３２は、当該処理を実行しない、又は、処理能力が低下した状態で当該処理を実行する。
【０１０４】
実施例２においては、正当性の判断結果を示す情報が著作物データに付されているため、当該著作物データに処理が実行されようとしている度に、当該著作物データを判断装置１０に送信して判断装置１０による判断を行わなくても、端末装置１２にて、当該著作物データの正当性の判断結果が確認される。このように、著作物データの正当性の判断結果を簡易に確認することができる。
【０１０５】
正当性の判断結果を示す情報が付された著作物データが端末装置１２から判断装置１０に送信された場合、判断部２０は、当該判断結果が付される前とは異なる判断プロセスによって正当性を判断してもよい。その判断結果を示す情報は、判断装置１０から端末装置１２に送信される。判断部２０は、当該異なる判断プロセスによる判断結果を示す情報を判断対象の著作物データに付してもよい。この場合、当該異なる判断プロセスによる判断結果を示す情報が付された著作物データが、判断装置１０から端末装置１２に送信される。当該異なる判断プロセスによる判断結果を示す情報が判断対象の著作物データに付された場合、判断部２０は、当該判断対象の著作物データに既に付されていた判断結果を示す情報を削除してもよい。もちろん、判断部２０は、当該判断対象の著作物データに既に付されていた判断結果を示す情報を削除しなくてもよい。
【０１０６】
上記の異なる判断プロセスは、判断結果を示す情報が付される前の著作物データを判断装置１０に送信したユーザと、当該判断結果を示す情報が付された当該著作物データを判断装置１０に送信したユーザとが同じユーザであるか否かを判断することである。
【０１０７】
両ユーザが同じユーザである場合、判断部２０は、判断対象の著作物データは正当であると判断する。両ユーザが異なるユーザである場合、判断部２０は、判断対象の著作物データは正当ではないと判断する。また、両ユーザが異なるユーザである場合、判断部２０は、警告を通知すると判断してもよい。この場合、警告を示す情報が、判断装置１０から端末装置１２に送信され、端末装置１２に表示される。
【０１０８】
詳しく説明すると、判断対象の著作物データの内容と同じ内容を有する別の著作物データの属性情報が、判断基準情報に含まれている場合において、上記の両ユーザが同じユーザである場合、判断部２０は、判断対象の著作物データは正当であると判断する。判断対象の著作物データの内容と同じ内容を有する別の著作物データの属性情報が、判断基準情報に含まれている場合において、上記の両ユーザが異なるユーザである場合、判断部２０は、判断対象の著作物データは正当ではないと判断する。判断対象の著作物データの内容と同じ内容を有する著作物データの属性情報が、判断基準情報に含まれていない場合、判断部２０は、判断対象の著作物データは正当であると判断する。
【０１０９】
例えば、正当性の判断の実行を指示したユーザを識別するためのユーザ識別情報が、判断対象の著作物データと共に端末装置１２から判断装置１０に送信される。管理部２２は、ユーザ識別情報を著作物データの属性情報に紐付けて判断基準情報に登録する。判断対象の著作物データの内容と同じ内容を有する別の著作物データの属性情報が、判断基準情報に含まれている場合において、当該別の著作物データの属性情報に、判断対象の著作物データを判断装置１０に送信したユーザと同じユーザのユーザ識別情報が紐付けられている場合、上記の両ユーザは同じユーザである。この場合、判断部２０は、判断対象の著作物データは正当であると判断する。当該別の著作物データの属性情報に、判断対象の著作物データを判断装置１０に送信したユーザとは異なる別のユーザのユーザ識別情報が紐付けられている場合、上記の両ユーザは異なるユーザである。この場合、判断部２０は、判断対象の著作物データは正当ではないと判断する。
【０１１０】
判断対象の著作物データの内容と同じ又は類似する内容を有する著作物データの属性情報が、判断基準情報に含まれている場合に、上記と同様の処理によって、著作物データの正当性が判断されてもよい。
【０１１１】
このように、正当性の判断結果を示す情報が付された著作物データが端末装置１２から判断装置１０に送信され、受付部１６が、当該著作物データを受け付けた場合、判断部２０は、当該著作物データを判断装置１０に送信したユーザのユーザ識別情報のみに基づいて、当該著作物データの正当性を判断してもよい。
【０１１２】
実施例２においては、端末装置１２の通信部２６が、正当性の判断結果を示す情報が付された著作物データを受信した場合、処理部３２は、当該判断結果を示す情報が付される前の著作物データを端末装置１２から削除してもよいし、当該判断結果を示す情報が付される前の著作物データに、当該判断結果を示す情報が付された著作物データを上書きしてもよい。
【０１１３】
処理部３２が、正当性の判断結果を示す情報が付される前の著作物データを端末装置１２から削除した場合、通知部３６は、その旨を示す情報を判断装置１０に送信してもよい。また、処理部３２が、正当性の判断結果を示す情報が付される前の著作物データに、当該判断結果を示す情報が付された著作物データを上書きした場合、通知部３６は、その旨を示す情報を判断装置１０に送信してもよい。
【０１１４】
端末装置１２の通信部２６が、正当性の判断結果を示す情報が付された著作物データを受信した場合、端末装置１２の制御部３８は、当該判断結果を示す情報が付される前の著作物データの削除又は上書きをユーザが選択するための情報を、ＵＩ部２８の表示部に表示させてもよい。また、制御部３８は、削除及び上書きを行わないことをユーザが選択するための情報をＵＩ部２８の表示部に表示させてもよい。ユーザによって削除又は上書きが指示された場合、処理部３２は、著作物データの削除又は上書きを実行する。削除及び上書きを行わないことがユーザによって選択された場合、処理部３２は、著作物データの削除及び上書きを行わない。
【０１１５】
端末装置１２の通信部２６が、正当性の判断結果を示す情報が付された著作物データを受信した場合、制御部３８は、当該判断結果に応じて当該著作物データに対して実行が許可される処理を示す情報をＵＩ部２８の表示部に表示させてもよい。
【０１１６】
なお、正当性の判断結果を示す情報は、判断装置１０によって著作物データに付されずに、端末装置１２によって著作物データに付されてもよい。この場合、判断装置１０によって著作物データの正当性が判断されると、その判断結果を示す情報が判断装置１０から端末装置１２に送信される。端末装置１２の制御部３８は、判断対象の著作物データに、その判断結果を示す情報を付す。
【０１１７】
判断装置１０が設けられている団体は、著作物データの最初の送信先である。つまり、判断装置１０は、著作物データの最初の送信先である。例えば、著作物データの送信先として、判断装置１０以外の装置がユーザによって指定された場合であっても、判断装置１０以外の装置が、当該著作物データの最初の送信先である場合、端末装置１２の通信部２６は、当該著作物データを判断装置１０以外の装置に送信しない。また、著作物データの複数の送信先がユーザによって指定された場合であっても、通信部２６は、著作物データを最初に判断装置１０に送信する。
【０１１８】
実施例１において、送信対象の著作物データについての正当性の判断結果を示す情報が判断装置１０から端末装置１２に送信されていない場合、端末装置１２の制御部３８は、判断装置１０を当該著作物データの最初の送信先として設定してもよい。ユーザがＵＩ部２８を操作して著作物データの送信を指示すると、制御部３８は、当該著作物データを判断装置１０に送信する。判断結果を示す情報が判断装置１０から端末装置１２に既に送信されている場合において、著作物データの送信が許可されている場合、ユーザによって当該著作物データの送信が指示されると、当該著作物データが、ユーザによって指定された送信先に送信される。
【０１１９】
実施例２において、正当性の判断結果を示す情報が著作物データに付されていない場合、端末装置１２の制御部３８は、判断装置１０を当該著作物データの最初の送信先として設定してもよい。判断結果を示す情報が著作物データに付されている場合において、当該著作物データの送信が許可されている場合、ユーザによって当該著作物データの送信が指示されると、当該著作物データが、ユーザによって指定された送信先に送信される。
【０１２０】
判断装置１０が著作物データの最初の送信先であるため、著作物データが判断装置１０以外の装置に先に送信される前に、当該著作物データの正当性が判断される。それ故、正当性が判断されていない著作物データが、他の装置に送信されることが防止される。
【０１２１】
上記の最初の送信先は、管理者以外のユーザによって変更が不可能である。それ故、ユーザが最初の送信先を判断装置１０以外の装置に変更し、正当性が判断されていない著作物データが、判断装置１０以外の装置に送信されることが防止される。
【０１２２】
以下、本実施形態に係る情報処理システムによる処理の流れについて説明する。
【０１２３】
ユーザが端末装置１２のＵＩ部２８を操作して、著作物データの正当性の判断の実行を指示すると、端末装置１２の制御部３８は、図４に示すように、画面４０をＵＩ部２８の表示部に表示させる。画面４０は、正当性の判断対象の著作物データを指定し、正当性の判断の実行を指示するための画面である。画面４０には、入力欄４２と送信ボタン４４とが表示されている。入力欄４２は、正当性の判断対象の著作物データの名称や、当該著作物データが記憶されている場所を示す情報（例えばパス等）が入力される欄である。ユーザはＵＩ部２８を操作して、正当性の判断対象の著作物データの名称やパスを入力欄４２に入力する。これにより、正当性の判断対象の著作物データがユーザによって指定される。ユーザが送信ボタン４４を押すと、端末装置１２の通信部２６は、制御部３８の制御の下、正当性の判断対象の著作物データを判断装置１０に送信する。著作物データに付帯する属性情報も、端末装置１２から判断装置１０に送信される。
【０１２４】
なお、正当性の判断が行われる前においては、処理部３２の処理の実行が制限されている場合、その旨を示す情報や、制限されている処理を示す情報や、制限されていない処理を示す情報等が、画面４０に表示されてもよい。
【０１２５】
正当性の判断対象の著作物データが端末装置１２から判断装置１０に送信されると、判断装置１０の受付部１６は、当該著作物データを受け付ける。著作物データには属性情報が付帯しているため、受付部１６は、当該属性情報も受け付ける。
【０１２６】
判断部２０は、判断基準情報に基づいて、判断対象の著作物データの正当性を判断する。
【０１２７】
実施例１においては、その判断結果を示す情報が、判断装置１０から端末装置１２に送信される。
【０１２８】
実施例２においては、その判断結果を示す情報が付された著作物データが、判断装置１０から端末装置１２に送信される。
【０１２９】
端末装置１２においては、その判断結果を示す情報がＵＩ部２８の表示部に表示される。
【０１３０】
判断対象の著作物データが正当であると判断された場合、例えば図５に示されている画面４６が、ＵＩ部２８の表示部に表示される。画面４６には、判断対象の著作物データが正当であることを示す情報が表示される。また、著作物データが正当である場合に、処理部３２の処理の実行が制限されない場合、処理は制限されないことを示す情報が、画面４６に表示されてもよい。
【０１３１】
判断対象の著作物データが正当ではないと判断された場合、例えば図６に示されている画面４８が、ＵＩ部２８の表示部に表示される。画面４８には、判断対象の著作物データが正当ではないことを示す情報（例えば、判断対象の著作物データが不当であることを示す情報）が表示される。また、著作物データが正当ではない場合に、処理部３２の処理の実行が制限される場合、処理が制限されること示す情報が、画面４８に表示される。また、実行が禁止される処理を示す情報が画面４８に表示されてもよい。図６に示す例では、著作物データの複製や送信等が禁止されており、そのことを示す情報が画面４８に表示されている。
【０１３２】
上記の判断装置１０及び端末装置１２の各部の機能は、一例としてハードウェアとソフトウェアとの協働により実現される。具体的には、判断装置１０及び端末装置１２は、図示しないＣＰＵ等の１又は複数のプロセッサを有している。当該１又は複数のプロセッサが、図示しない記憶装置に記憶されたプログラムを読み出して実行することで、判断装置１０及び端末装置１２の各部の機能が実現される。上記プログラムは、ＣＤ又はＤＶＤ等の記録媒体を経由して、又は、ネットワーク等の通信経路を経由して、記憶装置に記憶される。別の例として、判断装置１０及び端末装置１２の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、判断装置１０及び端末装置１２の各部の機能は、ＤＳＰ（Digital Signal Processor）又はＦＰＧＡ（Field Programmable Gate Array）等によって実現されてもよい。
【符号の説明】
【０１３３】
１０  判断装置、１２  端末装置、２０  判断部、２２  管理部、３２  処理部、３４  許可部、３６  通知部。
【図１】
2020197918.tif 000003
【図２】
2020197918.tif 000004
【図３】
2020197918.tif 000005
【図４】
2020197918.tif 000006
【図５】
2020197918.tif 000007
【図６】
2020197918.tif 000008